(57)【要約】【課題】複数種の記録媒体に記録されたデータの読み込みを安定して行う。【解決手段】読取装置は、記録媒体を挿入可能な処理口部と、処理口部に挿入された記録媒体を搬送する搬送部１５と、処理口部に挿入された記録媒体に対して記録媒体の挿入される方向と交差する方向に接触可能に配置されたローラー１６と、記録媒体からデータを読み取るセンサー部と、ローラー１６を回転可能に支持する支持部３０と、記録媒体の挿入される方向と交差する方向に支持部３０を移動可能に支持するフレーム部Ｆと、処理口部から挿入された記録媒体に向かう第一の弾性的な押さえつけ力を、支持部３０の初期位置から移動可能な範囲の全域で支持部３０に対して付与する第一押付部６０と、支持部３０の初期位置からの移動範囲が、予め設定された範囲を超えた場合に、記録媒体に向かう第二の弾性的な押さえつけ力を支持部３０に対して付与する第二押付部６１と、を備える。【選択図】図３
2017182734.tif 000002
【特許請求の範囲】
【請求項１】
予めデータが記録された記録媒体を挿入可能な処理口部と、
前記処理口部に挿入された前記記録媒体を搬送する搬送部と、
前記処理口部に挿入された前記記録媒体に対して前記記録媒体の挿入される方向と交差する方向に接触可能に配置されたローラーと、
前記記録媒体からデータを読み取るセンサー部と、
前記ローラーを回転可能に支持する支持部と、
前記記録媒体の挿入される方向と交差する方向に前記支持部を移動可能に支持するフレーム部と、
前記処理口部から挿入された前記記録媒体に向かう第一の弾性的な押さえつけ力を、前記支持部に対して付与する第一押付部と、
前記支持部の初期位置からの移動範囲が、予め設定された範囲を超えた場合に、前記記録媒体に向かう第二の弾性的な押さえつけ力を前記支持部に対して付与する第二押付部と、
を備える読取装置。
【請求項２】
前記記録媒体は、平板状に形成されて表面と裏面との少なくとも一方に、前記記録媒体が搬送される搬送方向に延びる磁性体の帯を備え、
前記センサー部は、前記磁性体の帯からデータを読み出す磁気ヘッドである請求項１に記載の読取装置。
【請求項３】
前記第一の弾性的な押さえつけ力は、第二の弾性的な押さえつけ力よりも小さい請求項１又は２に記載の読取装置。
【請求項４】
前記第一押付部は、トーションばねを備え、前記第二押付部は、コイルばねを備える請求項３に記載の読取装置。
【請求項５】
請求項１から請求項４の何れか一項に記載の読取装置を備える料金自動収受機。
【発明の詳細な説明】
【技術分野】
【０００１】
この発明は、読取装置、および、料金自動収受機に関する。
【背景技術】
【０００２】
有料道路の通行料金などを自動徴収する装置が知られている。この装置は、無人で料金を徴収できる。このような装置では、利用者が、例えば、クレジットカード、通行券などの記録媒体をそれぞれ専用の挿入口に挿入する必要があるため、挿入口の数が多くなり、記録媒体の誤挿入が生じる可能性がある。
【０００３】
特許文献１には、複数種の記録媒体を一つの挿入口から挿入可能とする技術が開示されている。この特許文献１に記載の技術は、挿入口から挿入されたカードや券などの種類を判別してフラッパで振り分けることが可能となっている。この特許文献１の技術によれば、複数種の記録媒体を一つの挿入口から挿入することが可能となり、記録媒体の誤挿入が低減される。
【先行技術文献】
【特許文献】
【０００４】
【特許文献１】特開平９−１６７２６４号公報
【発明の概要】
【発明が解決しようとする課題】
【０００５】
上述した特許文献１に記載の装置は、複数種の記録媒体を共通の駆動ローラーと押えローラーとによって挟み込んで搬送している。しかし、これら駆動ローラーと押えローラーとによって挟み込まれて搬送される複数種の記録媒体は、その種類によって、厚さ及び性質が異なる場合がある。より具体的には、複数種の記録媒体は、種類によって厚さが異なり、加えて、それぞれの表面の摩擦係数や強度などの性質が異なる場合がある。記録媒体の種類による性質の違いに関して、例えば、紙で形成された券などの場合には、表面の摩擦係数が高く、券としては変形し易い。また、例えば、合成樹脂で形成されたカードの場合には、表面の摩擦係数が低く、券としては変形し難い。ここで、例えば、紙で形成された券に対して最適となるような力で記録媒体を挟み込んだ場合、合成樹脂で形成されたカードが搬送中に滑ってしまう可能性がある。同様に、合成樹脂で形成されたカードに対して最適となるように、上述した紙で形成された券の場合よりも強い力で挟み込むと、紙で形成された券が変形して皺などが生じてしまう可能性がある。
このように、搬送時において記録媒体を挟み込む力に関しては、その種類に応じた最適な強さがあるという知見を本願発明者は得ている。一方、記録媒体の滑りや変形が生じた場合、記録媒体のデータの読み込みが不安定になる可能性がある。
【０００６】
この発明は、上記事情に鑑みてなされたものであり、厚さ及び性質の異なる複数種の記録媒体を取り扱う場合においても、それらの記録媒体に記録されたデータの読み込みを安定して行うことができる読取装置、および、料金自動収受機を提供することを目的とする。
【課題を解決するための手段】
【０００７】
この発明の第一態様によれば、読取装置（１０）は、予めデータが記録された記録媒体を挿入可能な処理口部（１０ａ）と、前記処理口部に挿入された前記記録媒体を搬送する搬送部（１５）と、前記処理口部に挿入された前記記録媒体に対して前記記録媒体の挿入される方向と交差する方向に接触可能に配置されたローラー（１６，１７）と、前記記録媒体からデータを読み取るセンサー部（１８）と、前記ローラーを回転可能に支持する支持部（３０）と、前記記録媒体の挿入される方向と交差する方向に前記支持部を移動可能に支持するフレーム部（Ｆ）と、前記処理口部から挿入された前記記録媒体に向かう第一の弾性的な押さえつけ力を前記支持部に対して付与する第一押付部（６０）と、前記支持部の初期位置からの移動範囲が、予め設定された範囲を超えた場合に、前記記録媒体に向かう第二の弾性的な押さえつけ力を前記支持部に対して付与する第二押付部（６１）と、を備える。
このように構成することで、支持部が予め設定された範囲内にある場合には、第一の弾性的な押さえつけ力のみを支持部に対して付与することができる。さらに、支持部が予め設定された範囲を超えた場合には、第一の弾性的な押さえつけ力に加えて第二の弾性的な押さえつけ力を支持部に対して付与することができる。そのため、記録媒体の種類に応じた弾性的な押さえつけ力をローラーによって記録媒体に付与して、搬送中の記録媒体の滑りや変形を抑制できる。
したがって、厚さ及び性質の異なる複数種の記録媒体を取り扱う場合においても、それらの記録媒体に記録されたデータの読み込みを安定して行うことができる。
【０００８】
この発明の第二態様によれば、前記記録媒体は、平板状に形成されて表面と裏面との少なくとも一方に、前記記録媒体が搬送される搬送方向に延びる磁性体の帯を備えていてもよい。前記センサー部は、前記磁性体の帯からデータを読み出す磁気ヘッドであってもよい。
このように構成することで、搬送中の記録媒体の滑りや変形が抑制されるため、磁気ヘッドにより磁性体の帯からデータを読み取る際に、安定して読み取ることができる。
【０００９】
この発明の第三態様によれば、第一又は第二態様に係る前記第一の弾性的な押さえつけ力は、第二の弾性的な押さえつけ力よりも小さくてもよい。
このように構成することで、例えば、記録媒体が薄くて強度が低い紙などの場合に、小さな第一の弾性的な押さえつけ力を支持部に付与することができる。さらに、記録媒体が厚くて強度が高い合成樹脂製の滑りやすいカードなどの場合に、第一の弾性的な押さえつけ力よりも大きい第二の弾性的な押さえつけ力を支持部に付与することができる。したがって、記録媒体の滑りや変形の低減を図ることができる。
【００１０】
この発明の第四態様によれば、読取装置は、第三態様の何れか一つの態様において、前記第一押付部が、トーションばねを備え、前記第二押付部が、コイルばねを備えていてもよい。
このように構成することで、第一押付部にトーションばねを用いることで、小さな第一の弾性的な押さえつけ力を簡単な構造で支持部に付与することができる。さらに、第二押付部にコイルばねを用いることで、第一の弾性的な押さえつけ力よりも大きな弾性的な押さえつけ力を簡単な構造で支持部に付与することができる。その結果、簡単な構造で記録媒体を安定して搬送できる。
【００１１】
この発明の第五態様によれば、料金自動収受機（１）は、第一から第四態様の何れか一つの態様に係る読取装置を備える。
このように構成することで、複数種の記録媒体を搬送してデータを読み取る際に、記録媒体の滑りや変形の低減を図ることができる。そのため、記録媒体のデータ読み取りが不安定になることを抑制して、料金自動収受機の信頼性を向上できる。
【発明の効果】
【００１２】
上記読取装置、及び、料金自動収受機によれば、厚さ及び性質の異なる複数種の記録媒体を取り扱う場合においても、それらの記録媒体に記録されたデータの読み込みを安定して行うことができる。
【図面の簡単な説明】
【００１３】
【図１】この発明の第一実施形態における料金収受施設の概略構成を示す斜視図である。
【図２】この発明の第一実施形態における読取装置の概略構成を示す側面図である。
【図３】この発明の実施形態における読取装置の支持部の構成を示す図である。
【図４】第一媒体処理ユニットが第二媒体を搬送している状態を示す図３に相当する図である。
【図５】第一媒体処理ユニットが第一媒体を搬送している状態を示す図３に相当する図である。
【発明を実施するための形態】
【００１４】
（第一実施形態）
次に、この発明の第一実施形態を図面に基づき説明する。
図１は、この発明の第一実施形態における料金収受施設の概略構成を示す斜視図である。
図１に示すように、料金収受施設９は、料金自動収受機１と、車種判別装置９Ａと、発進制御機９Ｂと、発進検知器９Ｃと、を備えている。
料金自動収受機１は、車線Ｌ上に停止した車両との間で料金収受処理を行う。例えば、料金自動収受機１は、車両Ａの車種や有料道路の走行距離等に応じた課金処理を行う。
この料金自動収受機１は、車線Ｌの側方に形成されたアイランドＩ上に設置されている。アイランドＩは、車線Ｌに沿って延びるとともに、車線Ｌよりも上方に配置される上面を有している。料金自動収受機１は、このように形成されたアイランドＩの前端部と後端部との間の中間位置に配置されている。ここで、車両Ａは、車線Ｌを、アイランドＩの前端部から後端部に向かう方向にだけ通行する。
【００１５】
料金自動収受機１は、車線Ｌの幅方向（図１中、＋Ｙ，−Ｙで示す方向）のうち車線Ｌが配される方向（図１中、＋Ｙで示す方向）を向く筐体前面１Ａを備えている。この実施形態の一例における料金自動収受機１は、直方体状の筐体を備え、筐体前面１Ａが車線Ｌと平行な平面で形成されている。この筐体前面１Ａは、通行券や、クレジットカード等の記録媒体を挿入可能な処理口部１０ａ（図２参照）を備えている。
【００１６】
一般に、利用者は、車両Ａの運転席（図１では右ハンドル車の場合を例示する）のサイドウィンドウが料金自動収受機１の筐体前面１Ａと対向するように、車両Ａを車線Ｌの側部に幅寄せして停止させる。利用者は、その後、サイドウィンドウを開放するなどして、通行券や、クレジットカード等の記録媒体の挿入操作を含む料金自動収受機１の操作を行う。
【００１７】
車種判別装置９Ａは、車線Ｌに進入する車両Ａの特性を検出する装置群である。車種判別装置９Ａは、例えば、車両検知器、踏板、車高検知器、車長検知器、および、ナンバープレート認識装置等の装置群を通じて得られる種々の検出信号に基づいて、車線Ｌを通行する車両Ａの車種を特定する。車種判別装置９Ａは、車線Ｌの延びる方向で料金自動収受機１よりも上流（車両Ａの走行方向における後方、図１中、−Ｘで示す方向）に設置されている。
【００１８】
発進制御機９Ｂは、ゲートの開放動作及び閉塞動作を実施する。発進制御機９Ｂは、車線Ｌの延びる方向で料金自動収受機１よりも下流（車両Ａの走行方向における奥手側、＋Ｘ方向側）に設けられている。この発進制御機９Ｂによって、例えば、利用者の運転する車両Ａを、料金の収受処理が完了するまで発進させないようにすることができる。
【００１９】
発進検知器９Ｃは、利用者の車両Ａが車線Ｌから退出したか否かを検出する。この発進検知器９Ｃは、車線Ｌの延びる方向で発進制御機９Ｂよりも下流、言い換えれば、料金収受施設９の最下流に設けられている。
このように構成された料金収受施設９によれば、発進検知器９Ｃが車両Ａの退出を検出すると、開放されているゲートが発進制御機９Ｂにより閉塞される。
【００２０】
（読取装置）
図２は、この発明の第一実施形態における読取装置の概略構成を示す側面図である。
上述した料金自動収受機１は、利用者により処理口部１０ａに挿入された通行券や、クレジットカード等の記録媒体からデータを読み取る読取装置１０を備えている。
図２に示すように、読取装置１０は、処理口部１０ａと、種別判別部１１と、第一媒体処理ユニット１２と、第二媒体処理ユニット１３と、を備えている。
【００２１】
処理口部１０ａは、複数種の記録媒体が挿入可能となっている。ここで、この実施形態における複数種の記録媒体は、何れも長方形の平板状に形成されている。これら複数種の記録媒体は、その長手方向が処理口部１０ａへの挿入方向と一致する。
種別判別部１１は、処理口部１０ａに挿入された記録媒体の種類を、例えば、その厚さなどから判別する。この種別判別部１１による判別結果は、読取装置１０を制御する制御部（図示せず）に送信されて、第一媒体処理ユニット１２、および、第二媒体処理ユニット１３の駆動制御に利用される。
【００２２】
第一媒体処理ユニット１２は、複数種の記録媒体のうち、相対的に厚さの大きい（厚い）記録媒体のデータを読み込むユニットである。この第一実施形態における第一媒体は、クレジットカード等の合成樹脂製のカード（以下、単に第一媒体と称する）であり、第一媒体処理ユニット１２は、第一媒体からデータを読み込む。第一媒体処理ユニット１２は、データの読み込みが完了した第一媒体を、予め設定されたタイミングで処理口部１０ａへと排出する。さらに、第一媒体処理ユニット１２は、相対的に薄い記録媒体を第二媒体処理ユニット１３へと搬送する。
【００２３】
第二媒体処理ユニット１３は、複数種の記録媒体のうち、相対的に厚さの小さい（薄い）記録媒体のデータを読み込むユニットである。この第一実施形態における第二媒体は、通行券等の紙製の券（以下、単に第二媒体と称する）であり、第二媒体処理ユニット１３は、第二媒体からデータを読み込む。この第二媒体処理ユニット１３は、データの読み込みが完了した第二媒体を、搬送方向で第一媒体処理ユニット１２とは反対側に配置された回収装置（図示せず）等に向けて搬送する。
ここで、樹脂製のカードであってもプリペイドカードのように薄く撓みやすい性質を有した記録媒体のデータは、第二媒体処理ユニット１３で読み込むようにしても良い。
【００２４】
（第一媒体処理ユニット）
第一媒体処理ユニット１２は、搬送部１５と、第一ローラー１６と、第二ローラー１７と、センサー部１８と、ガイド１９と、を備えている。
搬送部１５は、処理口部１０ａに挿入された記録媒体を搬送する。この実施形態における搬送部１５は、記録媒体を、筐体前面１Ａと垂直な水平方向に搬送する。搬送部１５は、モーター（Ｍ）２０と、駆動ローラー２１と、従動ローラー２２と、ベルト２３と、を備えている。
【００２５】
モーター２０は、電気エネルギーを回転エネルギーに変換して、駆動ローラー２１を回転させる駆動力を発生する。このモーター２０は、例えば、ステッピングモーターを用いることができる。モーター２０は、上述した制御部（図示せず）からの制御指令に基づいて動作する。このステッピングモーターは、例えば、回転数の変更が容易であるとともに、回転数が外的要因等によって指令値からずれた場合には、即座に回転数が指令値となるように修正を行う。
【００２６】
駆動ローラー２１は、モーター２０のローター軸（図示せず）に対してギヤやプーリー等を介して連係されている。この駆動ローラー２１は、モーター２０の回転エネルギーが伝達されることで、記録媒体の搬送方向に向かって回転可能となっている。
【００２７】
従動ローラー２２は、駆動ローラー２１の回転が伝達されることで従動する。従動ローラー２２は、駆動ローラー２１の中心軸と平行な中心軸回りに回転自在に設けられている。この従動ローラー２２は、記録媒体の搬送方向で、駆動ローラー２１の下流に離れて配置されている。この実施形態における駆動ローラー２１と従動ローラー２２との距離は、搬送部１５によって搬送される複数種の記録媒体のうち、搬送方向の長さが最も小さい記録媒体の搬送方向の長さよりも小さい距離となっている。ここで、上述した駆動ローラー２１と従動ローラー２２との距離とは、駆動ローラー２１の上端と従動ローラー２２の上端との間の距離である。
【００２８】
ベルト２３は、いわゆる無端ベルトであって、駆動ローラー２１と従動ローラー２２とに渡って掛け回されている。このベルト２３によって駆動ローラー２１の動力が従動ローラー２２に伝達される。つまり、上述した駆動ローラー２１と、従動ローラー２２と、ベルト２３とによって記録媒体を搬送するベルトコンベヤが構成されている。
この実施形態においては、搬送部１５がベルトコンベヤを備える場合について例示した。しかし、搬送部１５の構成は記録媒体を搬送できるものであればベルトコンベヤに限られない。搬送部１５は、例えば、ローラーコンベヤなど、ベルトコンベヤ以外の構成であっても良い。
【００２９】
第一ローラー１６は、処理口部１０ａに挿入された記録媒体に対して記録媒体の挿入される方向と交差する方向に接触可能に（すなわち、記録媒体に接触できるような近い位置に）配置されている。この実施形態における第一ローラー１６は、記録媒体の搬送方向で、上述した駆動ローラー２１と同じ位置に配置されている。さらに、第一ローラー１６は、その中心軸が駆動ローラー２１の中心軸と平行になるように配置されている。さらに、処理口部１０ａから挿入された記録媒体に対して上方に第一ローラー１６が配置され、下方に駆動ローラー２１が配置されている。
【００３０】
第二ローラー１７は、第一ローラー１６により搬送された記録媒体に対して記録媒体の挿入される方向と交差する方向に接触可能に（すなわち、記録媒体に接触できるような近い位置に）配置されている。この第二ローラー１７は、第一ローラー１６から記録媒体の搬送される方向に離れて配置される。さらに、第二ローラー１７は、第一ローラー１６からの距離が記録媒体の長さよりも短くなるように配置されている。この実施形態における第二ローラー１７は、記録媒体の搬送方向で、上述した従動ローラー２２と同じ位置に配置されている。さらに、第二ローラー１７は、その中心軸が従動ローラー２２の中心軸と平行となるように配置されている。さらに、処理口部１０ａから挿入された記録媒体に対して上方に第二ローラー１７が配置され、下方に従動ローラー２２が配置されている。
【００３１】
センサー部１８は、記録媒体からデータを読み取る。センサー部１８は、記録媒体の搬送方向で、第一ローラー１６と第二ローラー１７との間に設けられている。より具体的には、センサー部１８は、複数種の記録媒体のうち、第一媒体のデータを読み取る。この実施形態におけるセンサー部１８は、磁気ヘッドを備えている。これに対して、この実施形態における第一媒体は、磁気ヘッドにより読み取り可能な磁性体の帯を備えている。磁性体の帯は、第一媒体の表面と裏面との少なくとも一方に設けられて搬送方向に延びている。センサー部１８は、この磁気ヘッドによって第一媒体に設けられた磁性体の帯からデータを読み取る。
【００３２】
ガイド１９は、記録媒体を案内する。このガイド１９は、例えば、記録媒体が斜行しないように、搬送部１５により上下に挟み込まれた記録媒体の側縁を搬送方向に案内する。
【００３３】
（支持部）
図３は、この発明の実施形態における読取装置の支持部の構成を示す図である。
図３に示すように、読取装置１０は、支持部３０を備えている。支持部３０は、第一ローラー１６、および、第二ローラー１７（図３において図示せず）を、それぞれ個別に支持する。より具体的には、支持部３０は、第一ローラー１６、および、第二ローラー１７を記録媒体に対して押し当て可能に支持する。ここで、第一ローラー１６を支持する支持部３０と、第二ローラー１７を支持する支持部３０とは同様の構成である。そのため、第一ローラー１６を支持する支持部３０のみを説明し、第二ローラー１７の支持部３０については詳細説明を省略する。
【００３４】
本体部３４は、搬送面３１と交差する方向で、搬送面３１を基準にして第一ローラー１６と同じ側に配置されている。この本体部３４は、フレームＦに支持され、記録媒体の搬送方向に延びる軸線Ｏ１回りに揺動可能とされている。この実施形態における本体部３４は、搬送面３１の幅方向で搬送面３１の外方に基端部３４ａが配置されている。さらに、本体部３４は、搬送面３１の幅方向で搬送面３１と重なる位置に先端部３４ｂが配置されている。この実施形態における本体部３４は、基端部３４ａから先端部３４ｂに向かって搬送面３１と平行に延びている。
【００３５】
ここで、フレームＦは、本体部３４を支持するフレーム本体部Ｆ１と、弾性支持部３３を支持する弾性支持フレーム部Ｆ２とが一体に形成されている。フレーム本体部Ｆ１は、本体部３４を支持する位置よりも、搬送面３１と交差し、且つ、搬送面３１から離れる方向に延びている。弾性支持フレーム部Ｆ２は、フレーム本体部Ｆ１から搬送面３１の幅方向で、本体部３４の先端部３４ｂが形成される位置まで延びている。
【００３６】
脚部３５は、搬送方向における本体部３４の先端部３４ｂから搬送面３１に近づく方向に延びている。脚部３５は、第一ローラー１６を回転自在に支持している。この実施形態における脚部３５は、フレームＦから離れる水平方向に突出する軸３７を有している。脚部３５は、この軸３７によって、第一ローラー１６を、片持ち状態で支持している。
【００３７】
弾性支持部３３は、本体部３４を記録媒体に押し当てる方向に押す。つまり、弾性支持部３３は、本体部３４を押すことで、間接的に脚部３５、および、第一ローラー１６を押す。弾性支持部３３は、第一押付部６０と、第二押付部６１と、を備えている。
【００３８】
第一押付部６０は、本体部３４に対して記録媒体に向かう第一の弾性的な押さえつけ力を付与する。この第一押付部６０により付与する第一の弾性的な押さえつけ力は、本体部３４の揺動する全範囲で本体部３４に付与可能となっている。通常、本体部３４の揺動する範囲は、記録媒体を搬送していない状態の搬送面３１と第一ローラー１６とが接した初期位置から、最も厚い第一媒体Ｃ１を挟んでいるときの位置までの範囲である。この実施形態における第一押付部６０は、トーションばねを備えている。このトーションばねは、フレームＦの弾性支持フレーム部Ｆ２と本体部３４との間に圧縮された状態で挟まれている。
【００３９】
第二押付部６１は、本体部３４に対して記録媒体に向かう第二の弾性的な押さえつけ力を付与する。この第二押付部６１による第二の弾性的な押さえつけ力は、本体部３４が、上述した初期位置から移動した範囲が予め設定された範囲を超えた場合にのみ本体部３４に付与される。この第二の弾性的な押さえつけ力は、第一の弾性的な押さえつけ力よりも大きい。この実施形態における第二押付部６１は、コイルばねを備えている。
【００４０】
このコイルばねを備える第二押付部６１は、本体部３４に対向するように形成されたフレームＦの弾性支持フレーム部Ｆ２の一部から本体部３４に向かって延びている。この実施形態の一例において、第二押付部６１は、弾性支持フレーム部Ｆ２の先端部から本体部３４の先端部３４ｂに向かって延びている。第二押付部６１は、その本体部３４に近い側の端部６１ａと、本体部３４との間に隙間Ｇ３が形成されるように配置されている。この隙間Ｇ３は、上述した予め設定された本体部３４の揺動範囲に応じた大きさとなっている。
【００４１】
より具体的には、隙間Ｇ３の大きさは、記録媒体の厚さに応じた大きさに形成される。言い換えれば、第一媒体Ｃ１と第二媒体Ｃ２とのうち、相対的に薄い第二媒体Ｃ２の厚さよりも大きく、且つ、相対的に厚い第一媒体Ｃ１の厚さよりも小さくなっている。ここで、第二押付部６１は、例えば、ネジ作用等によって、隙間Ｇ３を調整可能にしても良い。
【００４２】
（第二媒体処理ユニット）
図２に示すように、第二媒体処理ユニット１３は、搬送部１１５と、第一ローラー１１６と、第二ローラー１１７と、センサー部１１８と、ガイド１１９と、を備えている。
搬送部１１５は、第一媒体処理ユニット１２によって搬送されてきた第二媒体を搬送する。この実施形態における搬送部１１５は、第二媒体を、筐体前面１Ａと垂直な水平方向に搬送する。搬送部１１５は、モーター（Ｍ）１２０と、駆動ローラー１２１と、従動ローラー１２２と、ベルト１２３と、を備えている。
【００４３】
モーター１２０は、電気エネルギーを回転エネルギーに変換して、駆動ローラー１２１を回転させる駆動力を発生する。このモーター１２０は、例えば、一般的な直流モーターであって、上述した制御部（図示せず）からの制御指令に基づいて動作する。この直流モーターは、上述したステッピングモーターと比較して、回転数が外的要因等によって指令値からずれた場合であっても、ゆっくりと戻る。
モーター１２０が、一般的な直流モーターを用いる場合について説明したが、ステッピングモーターを用いても良い。
【００４４】
駆動ローラー１２１は、モーター１２０のローター軸（図示せず）に対してギヤやプーリー等を介して連係されている。この駆動ローラー１２１は、モーター１２０の回転エネルギーが伝達されることで、第二媒体の搬送方向に向かって回転可能となっている。
【００４５】
従動ローラー１２２は、駆動ローラー１２１の回転が伝達されることで従動する。従動ローラー１２２は、駆動ローラー１２１の中心軸と平行な中心軸回りに回転自在に設けられている。この従動ローラー１２２は、第二媒体の搬送方向で、駆動ローラー１２１の下流に離れて配置されている。この実施形態における駆動ローラー１２１と従動ローラー１２２との距離は、搬送部１１５によって搬送される複数種の第二媒体のうち、搬送方向の長さが最も小さい第二媒体の搬送方向の長さよりも小さい距離となっている。ここで、上述した駆動ローラー１２１と従動ローラー１２２との距離とは、駆動ローラー１２１の上端と従動ローラー１２２の上端との間の距離である。
【００４６】
ベルト１２３は、いわゆる無端ベルトであって、駆動ローラー１２１と従動ローラー１２２とに渡って掛け回されている。このベルト１２３によって駆動ローラー１２１の動力が従動ローラー１２２に伝達される。つまり、上述した駆動ローラー１２１と、従動ローラー１２２と、ベルト１２３とによって第二媒体を搬送するベルトコンベヤが構成されている。
この実施形態においては、搬送部１１５がベルトコンベヤを備える場合について例示した。しかし、搬送部１１５の構成は第二媒体を搬送できるものであればベルトコンベヤに限られない。搬送部１１５は、例えば、ローラーコンベヤなど、ベルトコンベヤ以外の構成であっても良い。
【００４７】
第一ローラー１１６は、第二媒体の搬送される方向と交差する方向に接触可能に（すなわち、記録媒体に接触できるような近い位置に）配置されている。この実施形態における第一ローラー１１６は、第二媒体の搬送方向で、上述した駆動ローラー１２１と同じ位置に配置されている。さらに、第一ローラー１１６は、その中心軸が駆動ローラー１２１の中心軸と平行となるように配置されている。さらに、第二媒体に対して上方に第一ローラー１１６が配置され、下方に駆動ローラー１２１が配置されている。
【００４８】
第二ローラー１１７は、第一ローラー１１６により搬送された第二媒体に対して第二媒体の搬送される方向と交差する方向に接触可能に（すなわち、記録媒体に接触できるような近い位置に）配置されている。この第二ローラー１１７は、第一ローラー１１６から第二媒体の搬送される方向に離れて配置される。さらに、第二ローラー１１７は、第一ローラー１１６からの距離が第二媒体の長さよりも短くなるように配置されている。ここで、第一ローラー１１６から第二ローラー１１７までの距離は、第一ローラー１１６の下端と第二ローラー１１７の下端との間の距離である。この実施形態における第二ローラー１１７は、第二媒体の搬送方向で、上述した従動ローラー１２２と同じ位置に配置されている。さらに、第二ローラー１１７は、その中心軸が従動ローラー１２２の中心軸と平行となるように配置されている。さらに、第二媒体に対して上方に第二ローラー１１７が配置され、下方に従動ローラー１２２が配置されている。
【００４９】
センサー部１１８は、第二媒体からデータを読み取る。センサー部１１８は、第二媒体の搬送方向で、第一ローラー１１６と第二ローラー１１７との間に設けられている。この実施形態におけるセンサー部１１８は、磁気ヘッドを備えている。これに対して、この実施形態における第二媒体は、磁気ヘッドにより読み取り可能な磁性体の帯を備えている。磁性体の帯は、搬送方向に延びている。センサー部１１８は、この磁気ヘッドによって第二媒体に設けられた磁性体の帯からデータを読み取る。
【００５０】
ガイド１１９は、第二媒体を案内する。このガイド１１９は、例えば、第二媒体が斜行しないように、搬送部１５により上下に挟み込まれた第二媒体の側縁を搬送方向に案内する。
【００５１】
（支持部の動作）
次に、上述した実施形態の読取装置１０における支持部３０の動作を図４、図５に基づき説明する。
図４は、第一媒体処理ユニットが第二媒体を搬送している状態を示す図３に相当する図である。図５は、第一媒体処理ユニットが第一媒体を搬送している状態を示す図３に相当する図である。
【００５２】
まず、第一媒体処理ユニット１２の搬送部１５が回転を開始する。第二媒体Ｃ２が処理口部１０ａから挿入された場合、搬送部１５のベルト２３と第一ローラー１６との間、および、搬送部１５のベルト２３と第二ローラー１７との間に、順に第二媒体Ｃ２が挟み込まれる。
【００５３】
図４に示すように、第一ローラー１６は、第二媒体Ｃ２によって押し上げられて、第二媒体Ｃ２の厚さＤ２だけ、搬送面３１から離れる方向に変位する。
すると、第一ローラー１６を支持する脚部３５、および、本体部３４の先端部３４ｂが第二媒体Ｃ２の厚さＤ２の分だけ押し上げられて、本体部３４が軸線Ｏ１を中心に揺動する。その際、本体部３４と弾性支持部３３の第二押付部６１との間の隙間が小さくなるものの、本体部３４と弾性支持部３３の第二押付部６１との間には、隙間が形成された状態が維持される。この隙間は、上述した初期位置にある場合の隙間Ｇ３から、第二媒体Ｃ２の厚さＤ２を減算した大きさの隙間Ｇ４となっている。
【００５４】
つまり、本体部３４は、弾性支持部３３の第一押付部６０によってのみ押される状態となる。これにより、第一ローラー１６は、弾性支持部３３によって付与される第一の弾性的な押さえつけ力で第二媒体Ｃ２を押し付ける。第二媒体Ｃ２は、搬送部１５により搬送されて第二ローラー１７に到達すると、第一ローラー１６と同様に第二ローラー１７でも第一の弾性的な押さえつけ力で押し付けられる。
その後、第二媒体Ｃ２は、第一媒体処理ユニット１２から第二媒体処理ユニット１３に受け渡される。
【００５５】
図５に示すように、第一媒体処理ユニット１２の処理口部１０ａに第一媒体Ｃ１が挿入されると、搬送部１５のベルト２３と第一ローラー１６との間に、第一媒体Ｃ１が挟み込まれる。
この際、第一ローラー１６は、第一媒体Ｃ１によって押し上げられて、第一媒体Ｃ１の厚さＤ１だけ、搬送面３１から離れる方向に変位する。
【００５６】
すると、第一ローラー１６を支持する脚部３５、および、本体部３４の先端部３４ｂが第一媒体Ｃ１の厚さＤ１の分だけ押し上げられて、本体部３４が軸線Ｏ１を中心に揺動する。その際、弾性支持部３３の第二押付部６１と先端部３４ｂとの間に隙間は形成されず、先端部３４ｂが第二押付部６１を押す状態となる。
【００５７】
この際、第二押付部６１は、上述した初期位置にある場合の隙間Ｇ３と第一媒体Ｃ１の厚さＤ１との差分だけ圧縮変形される。つまり、本体部３４は、弾性支持部３３の第一押付部６０と第二押付部６１との両方に押される状態となる。第一ローラー１６は、弾性支持部３３によって付与される第一の弾性的な押さえつけ力と第二の弾性的な押さえつけ力とで第一媒体Ｃ１を押し付ける。この第一媒体Ｃ１は、搬送部１５により搬送されて第二ローラー１７に到達すると、第一ローラー１６と同様に、第二ローラー１７でも第一の弾性的な押さえつけ力と第二の弾性的な押さえつけ力とで押し付けられる。
【００５８】
ここで、上述した第一媒体Ｃ１は、搬送部１５によって一定速度で搬送されながら第一媒体処理ユニット１２のセンサー部１８によってデータが読み取られる。センサー部１８によるデータの読み取りが完了した第一媒体Ｃ１は、例えば、搬送部１５により処理口部１０ａに向かって搬送されて処理口部１０ａから排出される。一方で、第二媒体Ｃ２は、第一媒体処理ユニット１２から第二媒体処理ユニット１３に受け渡されて、センサー部１１８によってデータの読み取りが行われる。データの読み取りが完了した第二媒体Ｃ２は、例えば、第二媒体処理ユニット１３の後段に配置される回収箱（図示せず）等に送り込まれる。
【００５９】
したがって、上述した実施形態によれば、支持部３０の本体部３４が予め設定された揺動範囲内にある場合には、第一の弾性的な押さえつけ力のみを本体部３４に対して付与することができる。さらに、本体部３４が予め設定された揺動範囲を超えた場合には、第一の弾性的な押さえつけ力に加えて第二の弾性的な押さえつけ力を本体部３４に対して付与することができる。そのため、第一ローラー１６と第二ローラー１７とによって記録媒体の種類に応じた弾性的な押さえつけ力を記録媒体に付与でき、搬送中の記録媒体の滑りや変形を抑制できる。
その結果、厚さおよび性質の異なる複数種の記録媒体（第一媒体Ｃ１、第二媒体Ｃ２）を取り扱う場合においても、それら記録媒体に記録されたそれぞれのデータの読み込みを安定して行うことができる。
【００６０】
さらに、記録媒体の滑りや変形を抑制できることで、特に、センサー部１８が磁気ヘッドを備え、記録媒体が磁性体の帯を備えている場合に、安定してデータの読み取りを行うことができる。
さらに、第一の弾性的な押さえつけ力が第二の弾性的な押さえつけ力よりも小さいことで、第二媒体Ｃ２が薄くて強度の低い紙などの場合に、小さな第一の弾性的な押さえつけ力を第二媒体Ｃ２に付与することができる。そのため、第二媒体Ｃ２の変形を抑制できる。さらに、第一媒体Ｃ１が厚くて強度の高い滑りやすい合成樹脂製のカードなどの場合には、大きい弾性的な押さえつけ力を第一媒体Ｃ１に付与することができる。
さらに、記録媒体のデータ読み取りが不安定になることを抑制できるため、料金自動収受機１の信頼性を向上することができる。
【００６１】
この発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
【００６２】
例えば、読取装置１０が料金自動収受機１に設けられる場合について説明した。しかし、複数種の媒体を共通の搬送路を用いて搬送する装置であれば、料金自動収受機に限られない。
【００６３】
上述した実施形態においては、搬送部１５が駆動ローラー２１と従動ローラー２２とを備える場合について説明した。しかし、２つの駆動ローラーによってベルトコンベヤを構成するようにしても良い。さらに、１つの駆動ローラー２１に２つ以上の従動ローラー２２を設けるようにしても良い。さらに、搬送部１５は、記録媒体を搬送可能であれば、ベルトコンベヤに限らず、例えば、ローラーコンベヤ等であっても良い。
【００６４】
さらに、上述した実施形態においては、第一ローラー１６と第二ローラー１７とのそれぞれの直径を同一とする場合を例示した。しかし、第一ローラー１６と第二ローラー１７とのそれぞれの直径は同一に限られない。例えば、第一ローラー１６よりも第二ローラー１７の直径を大きくするなど、異なる大きさの第一ローラー１６と第二ローラー１７とを用いても良い。
【００６５】
さらに、記録媒体の形状は平板状に限られない。また、第一ローラー１６と第二ローラー１７とが、それぞれ、個別に記録媒体を押す場合について説明した。しかし、この構成に限られず、例えば、共通の本体部３４を用いて第一ローラー１６と第二ローラー１７とを連結するようにしても良い。
【００６６】
さらに、上述した実施形態においては、第一媒体処理ユニット１２が第一ローラー１６と第二ローラー１７との２つのローラーを備える場合について説明したが、３つ以上のローラーを備えていても良い。さらに、これら３つ以上のローラーを連結して、記録媒体の搬送方向で連動させるようにしても良い。
【００６７】
さらに、上述した実施形態においては、センサー部１８が磁気ヘッドを備え、記録媒体がこの磁気ヘッドにより読み取り可能な磁性体の帯を備える場合について説明した。しかし、記録媒体に記録されたデータを読み取り可能な構成であれば上記構成に限られず、例えば、記録媒体にＩＣチップを設け、センサー部１８がＩＣチップからデータ読み取り可能なセンサーを備えていても良い。
【００６８】
さらに、上述した実施形態においては、弾性体として、第一押付部６０がトーションばねを備え、第二押付部６１がコイルばねを備える場合について説明した。しかし、第一の弾性的な押さえつけ力と第二の弾性的な押さえつけ力とを付与する弾性体は、上述したトーションばねやコイルばねに限られない。例えば、板ばねや、樹脂、ゴム等を弾性体として用いても良い。
【００６９】
さらに、上述した実施形態においては、モーター２０としてステッピングモーターを用いる場合について説明した。しかし、モーター２０は、ステッピングモーター以外のモーターを用いても良い。
【符号の説明】
【００７０】
１  料金自動収受機
１Ａ  筐体前面
９Ａ  車種判別装置
９Ｂ  発進制御機
９Ｃ  発進検知器
１０  読取装置
１０ａ  処理口部
１１  種別判別部
１２  第一媒体処理ユニット
１３  第二媒体処理ユニット
１５  搬送部
１６  第一ローラー
１７  第二ローラー
１８  センサー部
１９  ガイド
２０  モーター
２１  駆動ローラー
２２  従動ローラー
２３  ベルト
３０  支持部
３１  搬送面
３３  弾性支持部
３４  本体部
３４ａ  基端部
３４ｂ  先端部
３５  脚部
３７  軸
６０  第一押付部
６１  第二押付部
６１ａ  端部
１１５  搬送部
１１６  第一ローラー
１１７  第二ローラー
１１８  センサー部
１１９  ガイド
１２０  モーター
１２１  駆動ローラー
１２２  従動ローラー
１２３  ベルト
Ａ  車両
Ｃ１  第一媒体
Ｃ２  第二媒体
Ｄ１  厚さ
Ｄ２  厚さ
Ｆ  フレーム
Ｆ１  フレーム本体部
Ｆ２  弾性支持フレーム部
Ｇ３  隙間
Ｇ４  隙間
Ｉ  アイランド
Ｌ  車線
Ｏ１  軸線
【図１】
2017182734.tif 000003
【図２】
2017182734.tif 000004
【図３】
2017182734.tif 000005
【図４】
2017182734.tif 000006
【図５】
2017182734.tif 000007